(57)【要約】  音響装置（１０）は、利用者（Ｕ）の耳又は耳穴に装着されたときに、前記利用者（Ｕ）の耳穴と外部の空間とを仕切る部材（１１）と、音を示す音信号を取得する取得部（１４１）と、前記取得部で取得された音信号にフィルタ処理を施す音処理部であって、前記フィルタ処理を所定の条件に応じて変化させる音処理部（１４４）と、前記フィルタ処理が施された音信号が示す音を、前記耳穴に放射する放音部（１５）と、を備える。
2018105668.tif 000002
【特許請求の範囲】
【請求項１】
利用者の耳又は耳穴に装着されたときに、前記利用者の耳穴と外部の空間とを仕切る部材と、
音を示す音信号を取得する取得部と、
前記取得部で取得された音信号にフィルタ処理を施す音処理部であって、前記フィルタ処理を所定の条件に応じて変化させる音処理部と、
前記フィルタ処理が施された音信号が示す音を、前記耳穴に放射する放音部と
を備える音響装置。
【請求項２】
前記外部の音を検出する検出部をさらに備え、
前記取得部は、前記検出部で検出された前記外部の音を示す音信号又は通信部を介して受信した音を示す音信号を取得する
ことを特徴とする請求項１に記載の音響装置。
【請求項３】
前記フィルタ処理によって通過させる音、又は通過させない音を選択する選択部をさらに備え、
前記音処理部は、前記選択部で選択された音に応じて前記フィルタ処理を変化させる
ことを特徴とする請求項１又は２に記載の音響装置。
【請求項４】
前記選択部は、特定の音を通過させた場合に利用者から入力された信号に基づいて、当該特定の音を前記通過させる音、又は前記通過させない音として選択するかどうかを判断する
ことを特徴とする請求項３に記載の音響装置。
【請求項５】
前記通過させる音、又は前記通過させない音を選択するための信号を取得する通信を行う通信部を備え、
前記選択部は、前記通信により取得された前記信号に基づいて、前記通過させる音、又は前記通過させない音を選択する
ことを特徴とする請求項３又は請求項４に記載の音響装置。
【請求項６】
前記音処理部は、当該音響装置の地理的位置に応じて前記フィルタ処理を変化させる
ことを特徴とする請求項１から請求項５のいずれか１項に記載の音響装置。
【請求項７】
前記音処理部は、時刻に応じて前記フィルタ処理を変化させる
ことを特徴とする請求項１から請求項６のいずれか１項に記載の音響装置。
【請求項８】
前記音処理部は、前記利用者に応じて前記フィルタ処理を変化させる
ことを特徴とする請求項１から請求項７のいずれか１項に記載の音響装置。
【請求項９】
前記音処理部は、前記利用者の属性に応じて前記フィルタ処理を変化させる
ことを特徴とする請求項１から請求項８のいずれか１項に記載の音響装置。
【請求項１０】
前記放音部は、前記フィルタ処理が施された音信号が示す音及び当該音とは異なる代替音を同タイミングで前記耳穴に放射する
ことを特徴とする請求項１から請求項９のいずれか１項に記載の音響装置。
【請求項１１】
話者の音声の特徴に基づき前記話者を認識する話者認識部をさらに備え、
前記選択部は、前記話者認識部で認識した話者の音声を前記通過させない音として選択する
ことを特徴とする請求項３から請求項１０のいずれか１項に記載の音響装置。
【請求項１２】
前記利用者の生体信号を検出する生体信号検出部をさらに有し、
前記音処理部は、前記生体信号の変化に応じて前記フィルタ処理を変化させる
ことを特徴とする請求項１から請求項１１のいずれか１項に記載の音響装置。
【請求項１３】
前記音処理部は、前記検出部によって検出された前記利用者の発話に応じて、前記フィルタ処理を変化させる
ことを特徴とする請求項２から請求項１２のいずれか１項に記載の音響装置。
【請求項１４】
前記音処理部は、当該音響装置の筐体の向き及び外部からの音の到来方向に応じて前記フィルタ処理を変化させる
ことを特徴とする請求項１から請求項１３のいずれか１項に記載の音響装置。
【請求項１５】
音を示す音信号を取得する取得工程と、
前記取得工程で取得された音信号にフィルタ処理を施すフィルタ処理工程と、
フィルタ処理工程における前記フィルタ処理を所定の条件に応じて変化させる音処理工程と、
前記フィルタ処理が施された音信号が示す音を、耳穴に放射する放音工程と
を備える音響処理方法。
【請求項１６】
外部の音を検出する検出工程をさらに備え、
前記取得工程は、前記検出工程で検出された前記外部の音を示す音信号又は通信を介して受信した音を示す音信号を取得する
ことを特徴とする請求項１５に記載の音響処理方法。
【請求項１７】
前記フィルタ処理によって通過させる音、又は通過させない音を選択する選択工程をさらに備え、
前記音処理工程は、前記選択工程で選択された音に応じて前記フィルタ処理を変化させる
ことを特徴とする請求項１５又は１６に記載の音響処理方法。
【請求項１８】
前記選択工程は、特定の音を通過させた場合に利用者から入力された信号に基づいて、当該特定の音を前記通過させる音、又は前記通過させない音として選択するかどうかを判断する
ことを特徴とする請求項１７に記載の音響処理方法。
【請求項１９】
前記通過させる音、又は前記通過させない音を選択するための信号を取得する通信を行う通信工程をさらに備え、
前記選択工程は、前記通信により取得された前記信号に基づいて、前記通過させる音、又は前記通過させない音を選択する
ことを特徴とする請求項１７又は請求項１８に記載の音響処理方法。
【請求項２０】
前記音処理工程は、当該音響処理方法を実施する音響装置の地理的位置に応じて前記フィルタ処理を変化させる
ことを特徴とする請求項１５から請求項１９のいずれか１項に記載の音響処理方法。
【請求項２１】
前記音処理工程は、時刻に応じて前記フィルタ処理を変化させる
ことを特徴とする請求項１５から請求項２０のいずれか１項に記載の音響処理方法。
【請求項２２】
前記音処理工程は、前記利用者に応じて前記フィルタ処理を変化させる
ことを特徴とする請求項１５から請求項２１のいずれか１項に記載の音響処理方法。
【請求項２３】
前記音処理工程は、前記利用者の属性に応じて前記フィルタ処理を変化させる
ことを特徴とする請求項１５から請求項２２のいずれか１項に記載の音響処理方法。
【請求項２４】
前記放音工程は、前記フィルタ処理が施された音信号が示す音及び当該音とは異なる代替音を同タイミングで前記耳穴に放射する
ことを特徴とする請求項１５から請求項２３のいずれか１項に記載の音響処理方法。
【請求項２５】
話者の音声の特徴に基づき前記話者を認識する話者認識工程をさらに備え、
前記選択工程は、前記話者認識工程で認識した話者の音声を前記通過させない音として選択する
ことを特徴とする請求項１７から請求項２４のいずれか１項に記載の音響処理方法。
【請求項２６】
前記利用者の生体信号を検出する生体信号検出工程をさらに有し、
前記音処理工程は、前記生体信号の変化に応じて前記フィルタ処理を変化させる
ことを特徴とする請求項１５から請求項２５のいずれか１項に記載の音響処理方法。
【請求項２７】
前記音処理工程は、前記検出工程によって検出された前記利用者の発話に応じて、前記フィルタ処理を変化させる
ことを特徴とする請求項１６から請求項２６のいずれか１項に記載の音響処理方法。
【請求項２８】
前記音処理工程は、当該音響処理方法が実施される音響装置の筐体の向き及び外部からの音の到来方向に応じて前記フィルタ処理を変化させる
ことを特徴とする請求項１５から請求項２７のいずれか１項に記載の音響処理方法。
【発明の詳細な説明】
【技術分野】
【０００１】
本発明は、利用者の耳に装着される音響装置及び該音響装置における音響処理方法であって、その利用者に聞かせる音を選択する機能を有する音響装置及び音響処理方法に関する。
【背景技術】
【０００２】
人間の聴覚機能を計算機で実現することに関し、ＣＡＳＡ（Computational Auditory Scene Analysis）と呼ばれる技術分野が知られている（例えば非特許文献１）。この技術分野では、混合音の分離法の実現が注目されている。
【先行技術文献】
【非特許文献】
【０００３】
【非特許文献１】亀岡弘和，ルルー・ジョナトン，小野順貴，嵯峨山茂樹、“調波時間構造化クラスタリングによるCASAへのアプローチ”、［online］、［平成２８年１０月２７日検索］、インターネット〈URL：http://hil.t.u-tokyo.ac.jp/~kameoka/paper/Kameoka2006H10.pdf〉
【発明の概要】
【発明が解決しようとする課題】
【０００４】
人物が日ごろ耳にする音には、その人物が積極的に聞きたい音もあれば、そうではない音もある。前者の音は、例えば、会話の音声等の日常生活に必要な音、又は野鳥の鳴き声のような快適な音である。後者の音は、例えば、近くで行われている工事の音、又は頻繁に通過する自動車のエンジン音等の重低音等の、その人物にとって不快な音である。また、同じ音であっても、その音を積極的に聞きたい状況と、そうではない状況との両方があり得る。
本発明は、上述した背景の下になされたものであり、利用者の耳に装着される音響装置及び該音響装置における音響処理方法であって、利用者に聞かせる外部の音を変化させることのできる音響装置及び音響処理方法を提供することを目的とする。
【課題を解決するための手段】
【０００５】
上述した課題を解決するため、本発明の音響装置は、利用者の耳又は耳穴に装着されたときに、前記利用者の耳穴と外部の空間とを仕切る部材と、音を示す音信号を取得する取得部と、前記取得部で取得された音信号にフィルタ処理を施す音処理部であって、前記フィルタ処理を所定の条件に応じて変化させる音処理部と、前記フィルタ処理が施された音信号が示す音を、前記耳穴に放射する放音部と、を備える音響装置を提供する。
また、本発明は、音を示す音信号を取得する取得工程と、前記取得工程で取得された音信号にフィルタ処理を施すフィルタ処理工程と、フィルタ処理工程における前記フィルタ処理を所定の条件に応じて変化させる音処理工程と、前記フィルタ処理が施された音信号が示す音を、耳穴に放射する放音工程と、を備える音響処理方法を提供する。
【発明の効果】
【０００６】
本発明によれば、利用者の耳に装着される音響装置及び該音響装置における音響処理方法であって、利用者に聞かせる外部の音を変化させることのできる音響装置及び音響処理方法を提供することができる。
【図面の簡単な説明】
【０００７】
【図１】図１は、本発明の一実施形態に係る音響装置を装着した利用者を示す図である。
【図２】図２は、同実施形態に係る音響装置を装着した利用者の耳の周辺を拡大した図である。
【図３】図３は、同実施形態に係る信号処理部の電気的な構成を示すブロック図である。
【図４】図４は、同実施形態に係る音響装置で実行される処理の一例を示すフローチャートである。
【発明を実施するための形態】
【０００８】
［実施形態］
以下、図面を参照して本発明の実施形態を説明する。
図１は、本発明の一実施形態に係る音響装置１０を装着した利用者Ｕを示す図である。図２は、音響装置１０を装着した利用者Ｕの耳１００の周辺を拡大した図である。図１及び図２には、利用者Ｕの右耳に音響装置１０が装着された様子が示されているが、左耳にも音響装置１０が装着されているものとする。なお、図面においては、本実施形態の構成を分かりやすくするため、各要素の寸法を実際の寸法とは異ならせてある。
【０００９】
音響装置１０は、外観がカナル型のイヤホンと同等である。即ち、音響装置１０は、耳１００の耳穴２００に装着された状態で使用される。音響装置１０は、外部の音が耳穴２００に透過しにくい構造となっている。音響装置１０は、小型且つ軽量である。よって、利用者Ｕは、音響装置１０を使用した状態で移動することができる。
【００１０】
音響装置１０は、筐体１１と、イヤーピース１２と、検出部１３と、信号処理部１４と、放音部１５とを含む。筐体１１は、筒状の部材である。筐体１１の内部には、検出部１３、信号処理部１４、及び放音部１５が収容されている。筐体１１は、耳穴２００に装着されたときに、耳穴２００を塞いで、耳穴２００と外部の空間とを仕切る部材である。イヤーピース１２は、筒状の部材である。イヤーピース１２は、筐体１１の一端であって、耳穴２００側の端部に装着されている。イヤーピース１２の素材は、耳穴２００の壁部との密着度が高い素材であることが望ましい。その理由は、外部の音が耳穴２００に透過しにくくなるようにするためである。かかる素材として、例えばポリウレタン又はプラスチックがあるが、これら以外の素材であってもよい。
【００１１】
検出部１３は、外部の音を検出する。検出部１３は、検出した音を音信号に変換して、信号処理部１４に供給する。検出部１３は、ここではマイクロホンである。この音信号は、アナログ形式の電気信号である。検出部１３は、筐体１１の一端であって、イヤーピース１２が配置される側の端部とは反対側の端部の近傍に配置されている。
なお、筐体１１は検出部１３を含んでいなくてもよい。筐体１１の信号処理部１４の通信部１４１は、外部から送信された音信号を受信する。例えば、ユーザの所持している通信端末装置（例えば、スマートフォン）のマイクで検出した音を無線通信により筐体１１の通信部１４１で受信する。また、例えば、遠隔地に配置されたロボットのマイクにより遠隔地の音を検出し、無線通信により筐体１１の通信部１４１で遠隔地のロボットの周囲の音を示す音信号を受信する。これらの場合、通信部１４１は音信号を取得する取得部としても機能する。
【００１２】
信号処理部１４は、検出部１３から供給された音信号に所定の信号処理を施して、放音部１５に供給する。この信号処理は、検出部１３が検出した音のうちの一部の音を通過させ、残りの音を通過させないようにするフィルタ処理を含む。フィルタ処理について詳しくは後述する。信号処理部１４は、例えば、ＣＰＵ（Central Processing Unit）、ＡＳＩＣ（Application Specific Integrated Circuit）、又はＤＳＰ（Digital Signal Processor）で例示されるハードウェア回路、ＲＡＭ（Random Access Memory）又はＲＯＭ（Read Only Memory）で例示されるメモリ、無線通信回路及びアンテナを含む無線通信部等を含む。無線通信の規格は、例えばＢｌｕｅｔｏｏｔｈ（登録商標）又はＷｉ−Ｆｉ（登録商標）があるが、これら以外の規格でもよい。
【００１３】
放音部１５は、信号処理部１４による処理済みの音信号が示す音を、耳穴２００に放射する。放音部１５は、ここではスピーカである。放音部１５は、筐体１１の一端であって、イヤーピース１２が配置される側の端部も近傍に配置されている。
【００１４】
かかる音響装置１０の機能により、利用者Ｕは、外部の音のうち、音響装置１０によって選択された音を聞くことになる。そのために、信号処理部１４は、利用者Ｕに聞かせるべき音を通過させ、それ以外の音を通過させないようにする信号処理を行う。
【００１５】
図３は、信号処理部１４の電気的な構成を示すブロック図である。図３に示すように、信号処理部１４は、通信部１４１と、選択部１４２と、Ａ／Ｄ変換器１４３と、音処理部１４４と、Ｄ／Ａ変換器１４５とを含む。
通信部１４１は、外部の装置と無線通信を行う。通信部１４１は、少なくとも、音処理部１４４が行うフィルタ処理によって通過させる音、又は通過させない音を選択するための信号を取得する無線通信を行う。
【００１６】
選択部１４２は、フィルタ処理によって通過させる音、又は通過させない音を選択する。フィルタ処理によって通過させる音は、例えば、会話の音声等の日常生活に必要な音、又は野鳥の鳴き声のような快適な音である。フィルタ処理によって通過させない音は、例えば、近くで行われている工事の音、又は頻繁に通過する自動車のエンジン音等の重低音等の、その人物にとって不快な音である。そこで、選択部１４２は、例えば、低い音域の音を通過させない音として選択し、それよりも高い音域の音を通過させる音として選択する。
【００１７】
選択部１４２は、利用者Ｕによって予め選択された（つまり、プリセットされた）音を、フィルタ処理によって通過させる音、又は通過させない音として選択する。例えば、利用者Ｕは、所定のアプリケーションプログラムがインストールされた通信端末装置（例えば、スマートフォン）を用いて、かかる音を選択する操作を行う。この操作に従い、通信端末装置は、無線通信により、利用者Ｕが選択した内容を通知する信号を、信号処理部１４へ送信する。選択部１４２は、通信部１４１を用いて、通信端末装置からその信号を取得（受信）する。
【００１８】
選択部１４２は、選択した通過させる音、又は通過させない音に応じて、音処理部１４４のフィルタ条件（例えば、フィルタ係数）を設定する。選択部１４２は、フィルタ処理により通過させない音については、所定の周波数帯域（例えば、レベルが最も高い周波数帯域）のレベルが低くなるように、フィルタ条件を設定する。これ以外に、選択部１４２は、可聴域（例えば、２００Ｈｚ〜２ｋＨｚ）や音声帯域（例えば、２００Ｈｚ〜４ｋＨｚ）等の所定の周波数帯域全体のレベルを、所定量だけ低減させるように、フィルタ条件を設定してもよい（例えば、−２０ｄＢとする）。更に、選択部１４２は、通過させない音に対して所定の周波数帯域のレベルが低くなるようにフィルタ条件を設定するだけでなく、「代替音」を出力するように、音処理部１４４の設定をしてもよい。この場合、音処理部１４４は、当該所定の周波数帯域の音が検出部１３により検出された場合に、利用者Ｕにとって心地よい所定の代替音を、同タイミングで再生させる。代替音を再生することによって、通過させない音（即ち、フィルタ処理でレベルが低くなり聞こえにくくなった音）をマスクし、更に利用者Ｕにとって当該音をより聞こえにくくする効果もある。このように、音処理部１４４が行う音処理には、フィルタ処理以外にも、所定の音を出力するための処理が含まれる場合がある。なお、選択部１４２は、所定の周波数帯域全体のレベルを、所定量だけ増加させるように、フィルタ条件を設定し、利用者Ｕが聞きたい特定の音を大きくしてもよい（例えば、＋２０ｄＢとする）。
【００１９】
更に、選択部１４２は、音処理部１４４に音信号の加工を行わせるように、フィルタ処理により通過させる音についてのフィルタ条件を設定してもよい。音処理部１４４は、例えば、高域の音を若干強調してのびやかな音に加工したり、リバーブをかけて心地よい音に加工したりしてもよい。選択部１４２が通過させる音を選択する際には、このような加工方法も併せて設定できるようにしてもよい。
【００２０】
Ａ／Ｄ変換器１４３は、検出部１３から供給された音信号をアナログ形式からデジタル形式に変換した後に、音処理部１４４に供給する。
【００２１】
音処理部１４４は、少なくともＡ／Ｄ変換器１４３から供給された音信号にフィルタ処理を含む音処理を施す。音処理部１４４は、選択部１４２のフィルタ条件の設定に従うことで、音信号に施すフィルタ処理を変化させる。音処理部１４４は、例えば、ＦＩＲフィルタ等のデジタルフィルタを含む。音処理部１４４は、少なくとも、選択部１４２によって通過させるように選択された音を通過させ、それ以外の音を通過させないように、音信号にフィルタ処理を施す。
【００２２】
Ｄ／Ａ変換器１４５は、音信号をデジタル形式からアナログ形式に変換した後に、放音部１５に供給する。放音部１５は、供給された音信号が示す音を、耳穴２００に放射する。利用者Ｕは、この音を聞くことができる。
【００２３】
ところで、選択部１４２は、フィルタ処理により通過させる音、又は通過させない音を、プリセット以外の方法で選択してもよい。選択部１４２は、例えば、或る特定の音を通過させた場合に利用者Ｕによって入力された信号に基づいて、当該特定の音をフィルタ処理により通過させる音、又は通過させない音として選択するかどうかを判断する。かかる信号として、利用者Ｕの操作に応じた信号がある。例えば、利用者Ｕは、或る音が聞こえてきた場合に、それを不快と感じたときは、或る音が聞こえてから所定時間内にその音を聞きたくない旨を指示する操作を、通信端末装置を用いて行う。その通信端末装置は、当該操作が行われた旨を、操作が行われた時刻とともに、信号処理部１４へ通知する。選択部１４２は、この通知を示す信号を、通信部１４１を用いて取得すると、その直前に通した特定の音を、以降は通過させないようにする。選択部１４２は、例えば、操作時刻から所定時間前までに検出された音のうち、所定の周波数帯域のレベルが所定値以上である音を、通過させない音として選択する。なお、話者認識技術により、話者の音声の特徴を抽出した特徴情報を登録し、選択部１４２が、特徴情報と一致する話者の音声をフィルタ処理により通過させない音として選択してもよい。これにより、特定の話者の音声のみを消すことができる。なお、特徴情報は予め記憶部（不図示）に記憶しておいてもよいし、話者の音声の特徴を抽出して特徴情報を登録してもよい。また、音響装置１０は、話者の氏名、話者の特徴情報及び該特徴情報に関するフィルタの設定（フィルタ処理）が対応づけられて登録されている場合、音処理部１４４は、話者（例えば○○さん）の音声を通過させない音としてマスクしつつ、「○○さんが話していました」というような合成音声を「代替音」として再生しても良い。
【００２４】
利用者Ｕから入力される信号は、利用者Ｕの生体から検出された信号（つまり、生体信号）であってもよい。生体信号の一例として、利用者Ｕの脳波に応じた信号がある。或る特定の音を聞いた人物が、その音を快適と感じたか、又は不快と感じたかは、脳波の変化に基づいて推定することができる。そこで、脳波を計測する装置（図示略）は、利用者Ｕの脳波を逐次計測する。人物が快適と感じたか、又は不快と感じたことを示す脳波が検出された場合には、選択部１４２は、その旨を示す信号を受信する。この信号は、脳波を計測する装置から信号処理部１４に送信されてもよいし、利用者Ｕの通信端末装置から送信されてもよい。音響装置１０が、脳波を計測する機能を有してもよい。そして、選択部１４２は、取得した信号に基づいて、利用者Ｕが快適と感じたことを示す脳波が計測されたときに通過させた特定の音を、以降も通過させ、不快と感じたことを示す脳波が計測されたときに通過させた特定の音を、以降は通過させないようにする。なお、脳波に限らず、生体信号を検出する他の例としては、利用者Ｕの心拍数、体温、血圧を示す信号がある。筐体１１は、利用者Ｕの心拍数、体温、血圧の少なくとも一つが平常値よりも所定閾値以上変化した場合（主に心拍数、体温、血圧の少なくとも一つが平常値よりも所定閾値以上高くなった場合）に利用者Ｕが不快に感じていることを示す信号を出力する生体信号検出部を含んでいてもよい。選択部１４２が、不快に感じていることを示す信号を受信する。なお生体信号検出部は、無線通信で接続された筐体１１とは別体の通信端末装置に設けられていてもよい。
【００２５】
図４は、音響装置１０で実行される処理の一例を示すフローチャートである。
選択部１４２は、フィルタ処理により通過させる音、又は通過させない音を選択する（ステップＳ１）。ここでは、選択部１４２は、通信部１４１を介して取得した信号に基づいて、利用者Ｕが行ったプリセットに従った選択を行う。選択部１４２は、ステップＳ１で選択した結果に基づいて、音処理部１４４の設定を行う（ステップＳ２）。この設定には少なくともフィルタ条件の設定が含まれる。この設定が行われると、検出部１３は、外部の音を検出する（ステップＳ３）。音処理部１４４は、ステップＳ２の設定に従い、検出部１３から供給された音信号にフィルタ処理を含む音処理を施す（ステップＳ４）。そして、放音部１５は、音処理部１４４から供給された当該音処理後の音信号、即ち少なくともフィルタ処理が施された後の音信号が示す音を、耳穴２００に放射（つまり、放音）する（ステップＳ５）。次に、選択部１４２は、フィルタ処理によって通過させる音、又は通過させない音を選択するための信号を、通信部１４１を用いて取得したかどうかを判断する（ステップＳ６）。かかる信号は、プリセット以外の方法でフィルタ処理により通過させる音、又は通過させない音を選択するための信号である。ステップＳ６で「ＮＯ」と判定された場合は、音響装置１０の処理はステップＳ３に戻される。ステップＳ６で「ＹＥＳ」と判定された場合は、音響装置１０の処理はステップＳ１に戻されて、フィルタ処理により通過させる音、又は通過させない音の選択が行われる。
【００２６】
以上説明した実施形態の音響装置１０によれば、検出した外部の音のうち、利用者Ｕに聞かせるべき音を選択して、その利用者Ｕに聞かせることができる。更に、音響装置１０は、利用者Ｕが聞きたい音、又はそうではない音を学習する機能を有する。これにより、音響装置１０は、利用者Ｕが聞きたがっている音、又はそうではない音に適したフィルタ処理に基づいて、外部の音を選択的に利用者Ｕに聞かせることができる。
【００２７】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（変形例１）
選択部１４２は、音信号に施すフィルタ処理を、以下の（１）〜（３）で説明する条件に応じて変化させてもよい。
【００２８】
（１）音響装置１０の位置（場所）
音処理部１４４は、音響装置１０の位置に応じてフィルタ処理を変化させる。例えば、屋外においては、安全上の理由から、自動車等の車両のエンジン音や、救急車等の緊急車両が発する報知音（サイレン）は、利用者Ｕが聞くことができることが望ましいと考えられる。一方、屋内に利用者Ｕが居る場合は、屋外に居る場合に比べて、かかる音が聞くできないことによる支障は比較的少ないと考えられる。また、屋外において、利用者Ｕは、自身に無関係の人物の会話の音声は聞かなくてもよいが、屋内で利用者Ｕに話しかけてくる人物の声を確実に聞こえるようにしておきたい場合がある。
そこで、選択部１４２は、音響装置１０の位置を特定し、その特定した位置に応じた音を通過させ、又は通過させないように、フィルタ条件を設定する。音響装置１０の位置については、例えば、ＧＰＳ（Global Positioning System）方式の測位により得る方法が考えられるが、別の方式が用いられてもよい。
【００２９】
（２）時刻
音処理部１４４は、時刻に応じてフィルタ処理を変化させる。例えば、屋外の夜間においては、利用者Ｕは周辺を見渡し難い。よって、安全上の理由から、自動車等の車両のエンジン音や、救急車等の緊急車両が発する報知音は、利用者Ｕが聞くことができることが望ましいと考えられる。一方、朝又は昼のような時刻の場合、利用者Ｕは周辺を見渡しやすいので、これらの音を聞くことができないことによる支障は比較的少ないと考えられる。また、利用者Ｕが起きている時刻は、会話の音声は聞くことできることが望ましいが、深夜のような利用者Ｕが睡眠中の時刻においてはかかる音声はむしろ聞こえない方が望ましい場合がある。そこで、選択部１４２は、時刻を特定し、その特定した時刻に応じた音を通過させ、又は通過させないように、フィルタ条件を設定する。時刻については、例えば音響装置１０の計時機能を用いて特定されるとよい。
【００３０】
（３）利用者
音処理部１４４は、音響装置１０の利用者に応じてフィルタ処理を変化させる。同じ音であっても、その音を快適と感じる利用者もいれば、それを不快と感じる利用者もいると考えられる。また、音響装置１０が、複数の人物で共用されることも考えられる。そこで、選択部１４２は、音響装置１０の利用者を特定し、その特定した利用者に音を通過させ、又は通過させないように、フィルタ条件を設定する。利用者の特定に関しては、例えば、音響装置１０の使用開始時におけるログイン操作、又は耳音響認証の技術を用いる方法が考えられるが、これら以外の方法が用いられてもよい。なお、利用者Ｕの年齢、性別、好みに関する属性情報が提供され、選択部１４２は、提供された属性情報に応じてフィルタ条件を設定してもよい。
【００３１】
（４）音の到来方向
音処理部１４４は、音響装置１０の筐体１１の向き及び外部からの音の到来方向に応じてフィルタ処理を変化させる。例えば、利用者Ｕが道路沿いに道路の右側を歩いている場合、利用者Ｕの左方向（道路側）からの車の音は通過させるフィルタ処理に設定してもよい。筐体１１の向きはジャイロセンサによって検出可能であり、外部からの音の到来方向は指向性マイクや、複数のマイクによって検出可能であり、道路の配置等の地理的情報はＧＰＳ（Global Positioning System）を利用することにより検出可能である。
【００３２】
以上説明した音信号に施すフィルタ処理を変化させる条件は、あくまで一例である。よって、音響装置１０は、更に別の条件に応じてフィルタ処理を変化させることで、利用者Ｕに聞かせる音を変化させてもよい。
【００３３】
（変形例２）
上述した実施形態で説明した音響装置１０の各構成要素の素材や形状、配置位置等はあくまで一例であり、種々の変形が可能である。
上述した音響装置１０が備える構成のうちの一部が省略、又は変更されてもよい。例えば、音響装置１０は、利用者Ｕから入力された信号に基づいてフィルタ処理を変化させる構成を有しなくてもよい。また、音響装置１０が、利用者Ｕの操作を受け付ける操作手段（例えば、物理ボタン）を備えてもよい。この場合、音響装置１０が無線通信を行う機能を有しなくてもよい。また、利用者Ｕの発話に基づいてフィルタ処理を変化させる構成としてもよい。例えば、音響装置１０は、利用者Ｕの発話の内容（フィルタ名）とフィルタの設定とを予め対応付けておき、利用者Ｕの発話に応じてフィルタの設定を変更したり、フィルタのオン及びオフを切り替える構成としてもよい。また、利用者Ｕが「××（フィルタ名）をオンにして」と発話することにより、フィルタ名が××のフィルタをオンにする構成としてもよい。
また、音響装置１０は、話者の氏名、話者の特徴情報及び該特徴情報に関するフィルタの設定（フィルタ処理）が対応づけられて登録されている場合、利用者Ｕによる話者の氏名の発話に応じて対応するフィルタの設定に変更する構成としてもよい。
【００３４】
（変形例３）
本発明の音響装置は、イヤホン型でなくてもよい。例えば、本発明の音響装置は、ヘッドフォン型のように、利用者Ｕの耳１００を覆う構成であってもよい。この場合、イヤーカップに相当する部分が、利用者の耳に装着され、利用者の耳穴と外部の空間とを仕切る部材に相当する。
【００３５】
（変形例４）
上述した実施形態の信号処理部１４が実現する機能は、複数のプログラムの組み合わせによって実現され、又は、複数のハードウェア資源の連携によって実現され得る。信号処理部１４の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリなどのコンピュータ読み取り可能な記録媒体に記憶した状態で提供されてもよいし、ネットワークを介して配信されてもよい。
【００３６】
ここで、本開示の実施形態を以下のようにまとめる。
【００３７】
（１）利用者の耳又は耳穴に装着されたときに、前記利用者の耳穴と外部の空間とを仕切る部材と、音を示す音信号を取得する取得部と、前記取得部で取得された音信号にフィルタ処理を施す音処理部であって、前記フィルタ処理を所定の条件に応じて変化させる音処理部と、前記フィルタ処理が施された音信号が示す音を、前記耳穴に放射する放音部と、を備えた音響装置を提供する。
【００３８】
（２）上記（１）に記載の音響装置において、前記外部の音を検出する検出部をさらに備え、前記取得部は、前記検出部で検出された前記外部の音を示す音信号又は通信部を介して受信した音を示す音信号を取得する。
【００３９】
（３）上記（１）又は（２）に記載の音響装置において、前記フィルタ処理によって通過させる音、又は通過させない音を選択する選択部をさらに備え、前記音処理部は、前記選択部で選択された音に応じて前記フィルタ処理を変化させる。
【００４０】
（４）上記（３）に記載の音響装置において、前記選択部は、特定の音を通過させた場合に利用者から入力された信号に基づいて、当該特定の音を前記通過させる音、又は前記通過させない音として選択するかどうかを判断する。
【００４１】
（５）上記（３）又は（４）に記載の音響装置において、前記通過させる音、又は前記通過させない音を選択するための信号を取得する通信を行う通信部を備え、前記選択部は、前記通信により取得された前記信号に基づいて、前記通過させる音、又は前記通過させない音を選択する。
【００４２】
（６）上記（１）から（５）のいずれか１項に記載の音響装置において、前記音処理部は、当該音響装置の地理的位置に応じて前記フィルタ処理を変化させる。
【００４３】
（７）上記（１）から（６）のいずれか１項に記載の音響装置において、前記音処理部は、時刻に応じて前記フィルタ処理を変化させる。
【００４４】
（８）上記（１）から（７）のいずれか１項に記載の音響装置において、前記音処理部は、前記利用者に応じて前記フィルタ処理を変化させる。
【００４５】
（９）上記（１）から（８）のいずれか１項に記載の音響装置において、前記音処理部は、前記利用者の属性に応じて前記フィルタ処理を変化させる。
【００４６】
（１０）上記（１）から（９）のいずれか１項に記載の音響装置において、前記放音部は、前記フィルタ処理が施された音信号が示す音及び当該音とは異なる代替音を同タイミングで前記耳穴に放射する。
【００４７】
（１１）上記（３）から（１０）のいずれか１項に記載の音響装置において、話者の音声の特徴に基づき前記話者を認識する話者認識部をさらに備え、前記選択部は、前記話者認識部で認識した話者の音声を前記通過させない音として選択する。
【００４８】
（１２）上記（１）から（１１）のいずれか１項に記載の音響装置において、前記利用者の生体信号を検出する生体信号検出部をさらに有し、前記音処理部は、前記生体信号の変化に応じて前記フィルタ処理を変化させる。
【００４９】
（１３）上記（２）から（１２）のいずれか１項に記載の音響装置において、前記音処理部は、前記検出部によって検出された前記利用者の発話に応じて、前記フィルタ処理を変化させる。
【００５０】
（１４）上記（１）から（１３）のいずれか１項に記載の音響装置において、前記音処理部は、当該音響装置の筐体の向き及び外部からの音の到来方向に応じて前記フィルタ処理を変化させる。
【００５１】
（１５）音を示す音信号を取得する取得工程と、前記取得工程で取得された音信号にフィルタ処理を施すフィルタ処理工程と、フィルタ処理工程における前記フィルタ処理を所定の条件に応じて変化させる音処理工程と、前記フィルタ処理が施された音信号が示す音を、耳穴に放射する放音工程と、を備える音響処理方法を提供する。
【００５２】
（１６）上記（１５）に記載の音響処理方法において、外部の音を検出する検出工程をさらに備え、前記取得工程は、前記検出工程で検出された前記外部の音を示す音信号又は通信を介して受信した音を示す音信号を取得する。
【００５３】
（１７）上記（１５）又は（１６）に記載の音響処理方法において、前記フィルタ処理によって通過させる音、又は通過させない音を選択する選択工程をさらに備え、前記音処理工程は、前記選択工程で選択された音に応じて前記フィルタ処理を変化させる。
（１８）上記（１７）に記載の音響処理方法において、前記選択工程は、特定の音を通過させた場合に利用者から入力された信号に基づいて、当該特定の音を前記通過させる音、又は前記通過させない音として選択するかどうかを判断する。
（１９）上記（１７）又は（１８）に記載の音響処理方法において、前記通過させる音、又は前記通過させない音を選択するための信号を取得する通信を行う通信工程をさらに備え、前記選択工程は、前記通信により取得された前記信号に基づいて、前記通過させる音、又は前記通過させない音を選択する。
（２０）上記（１５）から（１９）のいずれか１項に記載の音響処理方法において、前記音処理工程は、当該音響処理方法を実施する音響装置の地理的位置に応じて前記フィルタ処理を変化させる。
（２１）上記（１５）から（２０）のいずれか１項に記載の音響処理方法において、前記音処理工程は、時刻に応じて前記フィルタ処理を変化させる。
（２２）上記（１５）から（２１）のいずれか１項に記載の音響処理方法において、前記音処理工程は、前記利用者に応じて前記フィルタ処理を変化させる。
（２３）上記（１５）から（２１）のいずれか１項に記載の音響処理方法において、前記音処理工程は、前記利用者の属性に応じて前記フィルタ処理を変化させる。
（２４）上記（１５）から（２３）のいずれか１項に記載の音響処理方法において、前記放音工程は、前記フィルタ処理が施された音信号が示す音及び当該音とは異なる代替音を同タイミングで前記耳穴に放射する。
（２５）上記（１７）から（２４）のいずれか１項に記載の音響処理方法において、話者の音声の特徴に基づき前記話者を認識する話者認識工程をさらに備え、前記選択工程は、前記話者認識工程で認識した話者の音声を前記通過させない音として選択する。
（２６）上記（１５）から（２５）のいずれか１項に記載の音響処理方法において、前記利用者の生体信号を検出する生体信号検出工程をさらに有し、前記音処理工程は、前記生体信号の変化に応じて前記フィルタ処理を変化させる。
（２７）上記（１６）から（２６）のいずれか１項に記載の音響処理方法において、前記音処理工程は、前記検出工程によって検出された前記利用者の発話に応じて、前記フィルタ処理を変化させる。
（２８）上記（１５）から（２７）のいずれか１項に記載の音響処理方法において、前記音処理工程は、当該音響処理方法が実施される音響装置の筐体の向き及び外部からの音の到来方向に応じて前記フィルタ処理を変化させる。
【００５４】
本出願は、２０１６年１２月６日に出願された日本特許出願（特願２０１６-２３６７７８）に基づくものであり、ここに参照として取り込まれる。
【産業上の利用可能性】
【００５５】
本発明によれば、利用者に聞かせる外部の音を変化させることができるため有用である。
【符号の説明】
【００５６】
１０…音響装置
１１…筐体
１２…イヤーピース
１３…検出部
１４…信号処理部
１４１…通信部
１４２…選択部
１４３…Ａ／Ｄ変換器
１４４…音処理部
１４５…Ｄ／Ａ変換器
１５…放音部
１００…耳
２００…耳穴
【図１】
2018105668.tif 000003
【図２】
2018105668.tif 000004
【図３】
2018105668.tif 000005
【図４】
2018105668.tif 000006
【国際調査報告】
2018105668.tif 000007
2018105668.tif 000008
2018105668.tif 000009
2018105668.tif 000010